(57)【要約】【課題】  従来の操作装置では、故障やシート配置替えなどで迅速に取り外しできることを要望されていたが、取外しに時間がかかり、また取付け部への勘合が見えないため取付け不良で外れる可能性も有り、安全上望ましいものではなかった。【解決手段】  回転支軸を備える本体と、互いに隣り合う挿入斜面と固定斜面を備えるとともに前記回転支軸に沿って回動可能な回動部材と、前記本体と前記回動部材の間に取付けられた弾性部材とを有し、被取り付け装置に挿入される際に前記回動部材の前記挿入斜面が前記被取り付け装置に接触して前記弾性部材の付勢増加方向に回動し、取り付け完了時に前記弾性部材の付勢により前記回動部材の前記固定斜面が前記被取り付け装置に接触して取外し不可とすることを特徴とする取り付け装置。【選択図】  図１
2005207457.tif 000002
【特許請求の範囲】
【請求項１】
回転支軸を備える本体と、互いに隣り合う挿入斜面と固定斜面を備えるとともに前記回転支軸に沿って回動可能な回動部材と、前記本体と前記回動部材の間に取付けられた弾性部材とを有し、
被取り付け装置に挿入される際に前記回動部材の前記挿入斜面が前記被取り付け装置に接触して前記弾性部材の付勢増加方向に回動し、取り付け完了時に前記弾性部材の付勢により前記回動部材の前記固定斜面が前記被取り付け装置に接触して取外し不可とすることを特徴とする取り付け装置。
【請求項２】
前記被取り付け装置への取り付け状態において、前記回動部材を前記弾性部材の付勢増加方向に回動させて取外し可能とするための付勢増加手段を有することを特徴とする請求項１記載の取り付け装置。
【発明の詳細な説明】
【技術分野】
【０００１】
本発明は、航空機、鉄道車両、自動車等で用いる取り付けと取外し容易な取り付け装置に関する。
【背景技術】
【０００２】
従来、航空機等の座席の操作端末の取り付け装置として図３に示すものが有る。１０は本体上カバーで、パーソナルコンピュータ接続ジャック１１は内部基板（図示せず）に接続され、本体上カバー１０と本体下カバー１５で保持されている。操作端末は座席の取付け穴（図4の切欠き穴２０で図示）に契合された後、上面の取付けネジ１２を回転させて固定部材１４を上方向に引込み、座席取付け穴の周辺部を操作装置の本体上カバー１０とで挟込んで固定させる。なお、バネ部材１３で固定部材１４は常に下方向に附勢されている。この構成により、操作端末の取付けでは、横向きでも確実に取付けることが出来る。
【０００３】
図４は、操作端末を取付ける航空機の座席の斜視図である。座席２２に配線を行った切欠き穴２０を有するアーム２１が取付けられている。座席２２には信号を各座席に配信する座席端末２３が取付けられており、ここから、またはここへ操作端末からの信号がやりとりされる。乗客はパーソナルコンピュータを操作端末につないで情報を入手したり、オーディオの操作端末ではヘッドホンをつないで乗客が音楽を楽しんだり、ビデオの操作端末ではチャンネル、音量を選択し、表示端末（今回図示せず、座席２２の後の乗客は座席２２の背面に設置された端末を見る）に写った画像を楽しむ。
【０００４】
座席端末２３に映像、音楽、インターネット情報を提供する中央装置は航空機内に設置され、またそれらからの配線は座席２２等の内部でもあり図示していない。
【０００５】
ところで、航空機の操作端末は、故障やシート配置替えなどで15分以内等で迅速に取り外しできることを要望されている。だが、上記方式では取外しに時間がかかり、また取付け部への勘合が見えないため取付け不良で外れることも考えられる。
【０００６】
なお、移動観覧席に容易に着脱できる手すりを有効に取り付け可能とする技術は既に提案されている（例えば、特許文献１参照）。
【特許文献１】特開平８−１９６３７３号公報
【発明の開示】
【発明が解決しようとする課題】
【０００７】
しかしながら、従来の操作端末では操作端末のみでの取付けが出来ない、取付けに時間がかかる、取付けに工具が必要、および、確実な取付けかどうか取付け確認が必要なことが多く、取付け後のはずれ等安全上からも課題のあるものであった。また、機体での取付けに時間がかかる等メンテナンス等での費用がかさむという欠点があった。
【０００８】
本発明は、これらを鑑みてなされたものであり、取付けが簡単で、確認もしやすい、はずれにくい、装着に時間がかからない取り付け装置を提供することを目的とする。
【課題を解決するための手段】
【０００９】
前記従来の課題を解決するために本発明の取り付け装置は、回転支軸を備える本体と、互いに隣り合う挿入斜面と固定斜面を備えるとともに前記回転支軸に沿って回動可能な回動部材と、前記本体と前記回動部材の間に取付けられた弾性部材とを有し、被取り付け装置に挿入される際に前記回動部材の前記挿入斜面が前記被取り付け装置に接触して前記弾性部材の付勢増加方向に回動し、取り付け完了時に前記弾性部材の付勢により前記回動部材の前記固定斜面が前記被取り付け装置に接触して取外し不可とすることを特徴とする。また、前記被取り付け装置への取り付け状態において、前記回動部材を前記弾性部材の付勢増加方向に回動させて取外し可能とするための付勢増加手段を有することを特徴とする
本構成により、取付けが簡単で、確認もしやすい、はずれにくい、装着に時間がかからない取り付け装置を得ることが出来る。
【発明の効果】
【００１０】
本発明により、取付け時には回動部材が回動し、スムースに装着でき、取付け後には回動部材が取付け穴に契合するので、取付けが簡単で、確認もしやすい、はずれにくい、装着に時間がかからない取り付け装置を得ることが出来る。
【発明を実施するための最良の形態】
【００１１】
以下、本発明を実施するための最良の形態について詳細に説明する。
【００１２】
（実施の形態１）
図１は、本発明の実施の形態１における操作装置の取り付け装置を示す斜視図である。図において、１１０は本体上カバー、１１１は回動部材固定斜面、１１２は付勢バネ、１１３は回動部材挿入斜面、１１４はバネ保持軸、１１５は回動支軸、１１６は本体下カバーである。ここで、座席端末（図４の２３）との接続ケーブル、コネクタは図示していない。
【００１３】
図２は、本発明の実施の形態１における操作装置の取り付け装置を示す上面斜視図である。図において、１１０は本体上カバー、１１７はパーソナルコンピュータ接続ジャック、１１８は取外し穴である。取外し穴は、小径の丸穴としているが、小型の長方形のマイナスドライバが入る穴でも良い。
【００１４】
取付ける座席として、図４の切欠き穴２０に取付けるとして説明する。
【００１５】
操作装置としては、操作ボタン、マウス、表示窓、カード読取スロット、コードリール等のついたハンドセットと呼ばれる操作装置と、それを収納するクレイドルと呼ばれる収納装置があり、座席にはハンドセットをクレイドルに収納した状態で取付けられる。またパーソナルコントロールユニット（PCU）と呼ばれる、一体型の取り外しできないユニットでは、PCU自体を座席に取付ける。本件では、取付けに関してわかりやすい、パーソナルコンピュータ接続の操作装置を図示している。
【００１６】
この操作装置の取り付け装置を用いて、図４のような座席のアーム２１の切欠き穴２０に取付けるとき、操作装置のケーブル、コネクタをアーム内のコネクタと接続した後、操作装置を切り欠き穴２０に挿入すると、回動部材固定斜面１１１と回動部材挿入斜面１１３を有する回動部材は、回転支軸１１５回りに回動部材挿入斜面１１３が切り欠き穴２０に押されながら付勢バネ１１２に抗して半時計回りに回動し、スムースに装着できる。装着後は、付勢バネ１１２に回動部材が時計回りに回動し、回動部材固定斜面１１１が切欠き穴２０に契合する。これにより、簡単に、確認もしやすい、はずれにくい、装着に時間がかからない取付けができる。
【００１７】
次に、取外しのときは、取外し穴１１８に、ピンのようなものを挿入することにより、回動部材を付勢増加方向に回動させて半時計方向に回動し、回動部材固定斜面１１１が切欠き穴２０との契合をとかれる。これにより操作機器はスムースに、アーム２１からはずすことが出来、コネクタをはずすだけで取外しが完了する。
【００１８】
なお、回動部材は、切欠き穴２０の板厚の変化に対応出来るように当り面１１１を斜めの面としているが、板厚が一定であれば段付きとしてもいいし、何種類かの段付きとしてもいいことは言うまでもない。また、回動部材で操作機器の装着をしたが、摺動部材を使って、操作機器の装着をしてもいいことは言うまでもない。加えて、片側にのみ可動部材を配置したが、両側、隣合せ（位置合わせにいい）と配置してもいいことは言うまでもない。さらに、今回は圧縮バネを用いて、回動を付勢したが、ねじりバネ、引張りバネ、板バネ等の弾性部材を用いて付勢してもいいことは言うまでもない。また、今回は操作端末としたが表示装置の取付けにも応用できる。
【産業上の利用可能性】
【００１９】
本発明に係る操作装置は、取付け時には可動部材が回動し、スムースな装着が行え、装着後には回動部材が切欠き穴に契合し、簡単に、確認もしやすい、はずれにくい、装着に時間がかからない取付けができるので、航空機、鉄道車両、自動車等の移動体で用いる操作装置等として有用である。
【図面の簡単な説明】
【００２０】
【図１】本発明の実施の形態１における取り付け装置を示す斜視図
【図２】本発明の実施の形態１における取り付け装置を示す上面斜視図
【図３】従来の取り付け装置を示す斜視図
【図４】航空機の座席を示す斜視図
【符号の説明】
【００２１】
１０  本体上カバー
１１  パーソナルコンピュータ接続ジャック
１２  取り付けネジ
１３  バネ部材
１４  固定部材
１５  本体下カバー
２０  切り欠き穴
２１  アーム
２２  座席
２３  座席端末
１１０  本体上カバー
１１１  回動部材固定斜面
１１２  付勢バネ
１１３  回動部材挿入斜面
１１４  バネ保持軸
１１５  回転支軸
１１６  本体下カバー
１１７  パーソナルコンピュータ接続ジャック
１１８  取外し穴                                                                                   
【図１】
2005207457.tif 000003
【図２】
2005207457.tif 000004
【図３】
2005207457.tif 000005
【図４】
2005207457.tif 000006